(57)【要約】【課題】装飾プレート４７および下組合せプレート５９のそれぞれの相互に異なる動きを１つの駆動源で実現する。【解決手段】装飾プレート４７はドライブシャフト４３が回転操作されることで回転運動するものであり、下組合せプレート５９はドライブシャフト４３が回転操作されることで水平状態から鉛直状態に向けて姿勢が変化するように回転運動した後に重力の作用で直線的に降下する。このドライブシャフト４３はドライブモータで回転操作されるものであり、装飾プレート４７の回転運動および下組合せプレート５９の直線運動が１つの駆動源で実現される。【選択図】図７
2014045953.tif 000002
【特許請求の範囲】
【請求項１】
上下方向に対して交差する向きの軸線回りに回転可能にされた回転軸と、
前記回転軸を回転操作する駆動源と、
前記回転軸に設けられ、前記回転軸の軸線回りに前記回転軸に対して回転可能にされた第１の装飾部材と、
前記第１の装飾部材に設けられ、前記第１の装飾部材に対して移動可能にされたものであって前記第１の装飾部材が初期姿勢の場合に前記第１の装飾部材に対する移動方向が重力方向と異なる方向を向く状態で前記第１の装飾部材に対して静止する第２の装飾部材と、
前記回転軸に設けられ、前記回転軸が回転操作された場合に前記第２の装飾部材を前記第２の装飾部材の前記第１の装飾部材に対する移動方向と異なる方向へ押圧して前記第２の装飾部材の前記第１の装飾部材に対する移動を規制する押圧部材を備え、
前記第１の装飾部材は、
前記駆動源により前記回転軸が回転操作された場合に前記押圧部材が前記第２の装飾部材の前記第１の装飾部材に対する移動を規制することで前記回転軸の動力が前記押圧部材および前記第２の装飾部材を介して伝達されて初期姿勢から前記第２の装飾部材と共に回転し、
前記第２の装飾部材は、
前記第１の装飾部材が初期姿勢から所定量だけ回転した場合に前記第２の装飾部材の前記第１の装飾部材に対する移動方向が重力方向に近付くことで重力の作用で降下して前記第１の装飾部材に対して当該移動方向へ移動することを特徴とするパチンコ遊技機の演出装置。
【請求項２】
前記回転軸に設けられ、前記回転軸と共に回転可能にされた巻取り部材と、
一端部が前記第２の装飾部材に接続され且つ他端部が前記巻取り部材に接続されたものであって、前記第１の装飾部材の初期姿勢で前記第２の装飾部材が前記第１の装飾部材に対して降下していない状態で前記巻取り部材に巻取られる接続部材を備え、
前記駆動源は、前記第２の装飾部材を降下させるための正方向へ前記回転軸を回転操作した後に前記回転軸を逆方向へ回転操作するものであり、
前記巻取り部材は、
前記回転軸が正方向へ回転操作される場合に前記接続部材を繰出すことで前記第２の装飾部材が降下することを許容するものであって、前記回転軸が逆方向へ回転操作される場合には前記接続部材を巻取ることで前記第２の装飾部材を前記第１の装飾部材に対して巻上げるものであることを特徴とする請求項１に記載のパチンコ遊技機の演出装置。
【発明の詳細な説明】
【技術分野】
【０００１】
本発明はパチンコ遊技を視覚的に演出するパチンコ遊技機の演出装置に関する。
【背景技術】
【０００２】
パチンコ遊技機の演出装置には装飾部材を備えたものがある。この装飾部材は駆動源に連結されたものであり、駆動源が作動することで移動操作される。
【先行技術文献】
【特許文献】
【０００３】
【特許文献１】特開２００９−２１３７２０号公報
【発明の概要】
【発明が解決しようとする課題】
【０００４】
特許文献１には装飾部材を上下方向へ指向する軸を中心に回転操作しながら上下方向へ直線的に移動操作することが記載されている。この特許文献１は装飾部材の２つの動きのそれぞれを専用の駆動源で行うものであり、２つの駆動源が必要となる。
【課題を解決するための手段】
【０００５】
１．請求項１に記載のパチンコ遊技機の演出装置は次の１）回転軸〜５）押圧部材を備えたものであり、図２の演出ユニット４０は演出装置に相当する。
１）回転軸は上下方向に対して交差する向きの軸線回りに回転可能にされたものである。図２の符号１６は遊技盤に相当し、図７のドライブシャフト４３は回転軸に相当する。
２）駆動源は回転軸を回転操作するものであり、図６のドライブモータ４２は駆動源に相当する。
３）第１の装飾部材は回転軸に設けられたものであり、回転軸の軸線回りに回転軸に対して回転可能にされたものである。この第１の装飾部材は駆動源により回転軸が回転操作された場合に押圧部材（５）参照）が第２の装飾部材（４）参照）の第１の装飾部材に対する移動を規制することで回転軸の動力が押圧部材および第２の装飾部材を介して伝達されて初期姿勢から第２の装飾部材と共に回転する。図７のロータ４５と装飾プレート４７と上組合せプレート５０は第１の装飾部材に相当する。
４）第２の装飾部材は第１の装飾部材に設けられたものであり、第１の装飾部材に対して移動可能にされたものである。この第２の装飾部材は第１の装飾部材が初期姿勢の場合に第１の装飾部材に対する移動方向が重力方向と異なる方向を向く状態で第１の装飾部材に対して静止するものであり、第１の装飾部材が初期姿勢から所定量だけ回転した場合に第２の装飾部材の第１の装飾部材に対する移動方向が重力方向に近付くことで重力の作用で降下して第１の装飾部材に対して移動方向へ移動する。図７の下組合せプレート５９は第２の装飾部材に相当する。
５）押圧部材は回転軸に設けられたものであり、回転軸が回転操作された場合に第２の装飾部材を第２の装飾部材の第１の装飾部材に対する移動方向と異なる方向へ押圧して第２の装飾部材の第１の装飾部材に対する移動を規制する。図７のプッシャ７５は押圧部材に相当する。
２．請求項２に記載のパチンコ遊技機の演出装置は巻取り部材および接続部材を備えたものであり、駆動源は第２の装飾部材を降下させるための正方向へ回転軸を回転操作した後に回転軸を逆方向へ回転操作する。巻取り部材は回転軸に設けられたものであり、回転軸と共に回転可能にされている。接続部材は一端部が第２の装飾部材に接続され且つ他端部が巻取り部材に接続されたものである。この接続部材は第１の装飾部材の初期姿勢で第２の装飾部材が第１の装飾部材に対して降下していない状態で巻取り部材に巻取られるものであり、巻取り部材は回転軸が正方向へ回転操作される場合に接続部材を繰出すことで第２の装飾部材が降下することを許容すると共に回転軸が逆方向へ回転操作される場合に接続部材を巻取ることで第２の装飾部材を第１の装飾部材に対して巻上げる。図７のリール６２は巻取り部材に相当し、図７のフィルム６４は接続部材に相当する。
【発明の効果】
【０００６】
１．請求項１に記載のパチンコ遊技機の演出装置ついて
回転軸が回転操作された場合には押圧部材が第２の装飾部材を第２の装飾部材の第１の装飾部材に対する移動方向と異なる方向へ押圧することで第２の装飾部材の第１の装飾部材に対する移動を規制する。この回転軸は１つの駆動源が回転操作するものであり、第１の装飾部材は押圧部材が第２の装飾部材の第１の装飾部材に対する移動を規制することで回転軸の動力が押圧部材および第２の装飾部材を介して伝達されて初期姿勢から第２の装飾部材と共に回転し、第２の装飾部材は第１の装飾部材が初期姿勢から所定量だけ回転した場合に第２の装飾部材の第１の装飾部材に対する移動方向が重力方向に近付くことで重力の作用で降下して第１の装飾部材に対して移動方向へ移動する。従って、第１の装飾部材の回転軸に対する運動および第２の装飾部材の第１の装飾部材に対する運動の２つの動きが１つの駆動源で実現される。
２．請求項２に記載のパチンコ遊技機の演出装置ついて
回転軸は正方向へ回転操作された後に逆方向へ回転操作されるものであり、巻取り部材は回転軸が正方向へ回転操作される場合に接続部材を繰出すことで第２の装飾部材が降下することを許容し、回転軸が逆方向へ回転操作される場合に接続部材を巻取ることで第２の装飾部材を第１の装飾部材に対して巻上げる。この回転軸は１つの駆動源が正方向および逆方向へ回転操作するものであり、第２の装飾部材を降下した状態から降下する前の状態に戻す動きも１つの駆動源で実現される。
【図面の簡単な説明】
【０００７】
【図１】実施例１を示す図（パチンコ遊技機の外観を斜め前方から示す斜視図）
【図２】遊技盤を前方から示す図
【図３】電気的な構成を示す図
【図４】装飾図柄遊技の映像を示す図
【図５】メイン制御回路の処理内容を示す図
【図６】演出ユニットの外観をロータの初期姿勢で斜め前方から示す図
【図７】（ａ）は図６のＸａ線に沿う断面図、（ｂ）は図６のＸｂ線に沿う断面図
【図８】演出ユニットの外観をロータの作動姿勢で斜め前方から示す図
【図９】（ａ）は図８のＸａ線に沿う断面図、（ｂ）は図８のＸｂ線に沿う断面図
【図１０】下組合せプレートの外観をロータの初期姿勢で斜め前方から示す図
【図１１】下組合せプレートの外観をロータの作動姿勢で斜め前方から示す図
【図１２】下組合せプレートの外観を図１０のＸ方向から示す図
【図１３】演出ユニットの外観をユニットベースの除去状態で示す図８相当図
【図１４】リターンプレートおよびキャッチ片相互間の位置関係を示す図
【図１５】図２相当図（上組合せプレートおよび下組合せプレートを示す図）
【図１６】演出制御回路の予告演出処理を示す図
【図１７】演出制御回路の予告演出処理１を示す図
【図１８】演出制御回路の予告演出処理２を示す図
【発明を実施するための形態】
【実施例１】
【０００８】
パチンコホールの台島には、図１に示すように、外枠１が設置されている。この外枠１は前面および後面のそれぞれが開口する四角筒状をなすものであり、外枠１には外枠１の前方に位置して内枠２が装着されている。この内枠２には横長な長方形状の上皿板３が装着されており、上皿板３には上皿４が固定されている。この上皿４は賞品として払出される遊技球を受けるものであり、上面が開口する容器状をなしている。内枠２には上皿板３の下方に位置して横長な長方形状の下皿板５が装着されており、下皿板５には下皿６が固定されている。この下皿６は上皿４内から溢れた遊技球を受けるものであり、上面が開口する容器状をなしている。
【０００９】
下皿板５の右端部には、図１に示すように、ハンドル台７が固定されており、ハンドル台７には発射ハンドル８が装着されている。この発射ハンドル８は遊技者が前方から手指で操作するものであり、前後方向へ指向する軸を中心に回転可能にされている。内枠２には上皿４の後方に位置して発射ソレノイドが固定されており、発射ソレノイドの出力軸には打球槌９が連結されている。この発射ソレノイドは打球槌９の駆動源に相当するものであり、発射ハンドル８が予め決められた発射停止位置から時計回り方向へ回転操作された状態では発射ソレノイドに駆動電源が与えられ、打球槌９が駆動することで上皿４内の遊技球を上皿４内から弾き出す。
【００１０】
内枠２には、図１に示すように、上皿板３の上方に位置して前枠１０が装着されている。この前枠１０は内枠２の前方に配置されたものであり、前枠１０には透明な円形状のガラス窓１１が固定されている。この前枠１０には左上隅部および右上隅部のそれぞれに位置して網状のスピーカカバー１２が固定され、両スピーカカバー１２のそれぞれの後方に位置してスピーカ１３が固定されており、両スピーカ１３のそれぞれが再生した効果音は前方のスピーカカバー１２を通して放出される。前枠１０には両スピーカカバー１２のそれぞれの下方に位置して複数のランプカバー１４が固定され、複数のランプカバー１４のそれぞれの後方に位置して複数の電飾ＬＥＤ１５（図３参照）が固定されており、複数のランプカバー１４のそれぞれは後方の電飾ＬＥＤ１５が点灯することで照明される。
【００１１】
内枠２には、図２に示すように、垂直な板状の遊技盤１６が固定されている。この遊技盤１６は前枠１０のガラス窓１１の後方に配置されたものであり、ガラス窓１１は遊技盤１６を前方から視覚的に認識可能に覆っている。この遊技盤１６には外レール１７と内レール１８と球止めゴム１９が固定されている。これら外レール１７〜球止めゴム１９のそれぞれは遊技盤１６の前方に配置されたものであり、外レール１７および内レール１８のそれぞれは円弧状の金属板から構成され、球止めゴム１９は外レール１７および内レール１８相互間の隙間を塞ぐゴムから構成されている。
【００１２】
遊技盤１６には、図２に示すように、発射通路２０および遊技領域２１が形成されている。発射通路２０は外レール１７および内レール１８相互間に位置する円弧状の隙間を称するものであり、遊技領域２１は外レール１７と内レール１８と球止めゴム１９で囲まれた領域のうち発射通路２０を除く残りの円形状の領域を称するものであり、打球槌９が弾いた遊技球は発射通路２０を通して遊技領域２１内に放出される。この遊技領域２１内には複数の障害釘２２が固定されており、発射通路２０から遊技領域２１内に放出された遊技球は障害釘２２に当りながら遊技領域２１内を落下する。
【００１３】
遊技盤１６には、図２に示すように、遊技領域２１内に位置して始動口２３が固定されている。この始動口２３は遊技球が上面から入賞することが可能なポケット状をなすものであり、始動口２３内には始動口センサ２４（図３参照）が固定されている。この始動口センサ２４は近接スイッチからなるものであり、遊技球が始動口２３内に入賞した場合には始動口センサ２４が遊技球を検出することで始動信号を出力する。
【００１４】
遊技盤１６には、図２に示すように、遊技領域２１内に位置して特別入賞口２５が固定されている。この特別入賞口２５は遊技球が前面から入賞することが可能な横長な箱状をなすものであり、特別入賞口２５内には特別入賞口センサ２６（図３参照）が固定されている。この特別入賞口センサ２６は近接スイッチからなるものであり、遊技球が特別入賞口２５内に入賞した場合には特別入賞口センサ２６が遊技球を検出することで特別入賞信号を出力する。
【００１５】
特別入賞口２５には、図２に示すように、扉２７が左右方向へ指向する軸２８を中心に回転可能に装着されている。この扉２７は特別入賞口ソレノイド２９（図３参照）の出力軸に連結されており、特別入賞口ソレノイド２９の電気的なオフ状態では扉２７が垂直な閉鎖状態となることで特別入賞口２５の前面を遊技球が入賞不能に閉鎖する。この扉２７は特別入賞口ソレノイド２９の電気的なオン状態で前方へ水平に倒れた開放状態に回転するものであり、扉２７の開放状態では遊技球が扉２７に乗って特別入賞口２５内に入賞可能になる。
【００１６】
遊技盤１６の後方には、図２に示すように、賞球払出し装置３０が固定されている。この賞球払出し装置３０は払出モータを有するものであり、遊技球が始動口２３内に入賞した場合および特別入賞口２５内に入賞した場合のそれぞれには払出モータの回転軸が回転操作されることで上皿４内に単位個数の遊技球が賞品として払出される。
【００１７】
遊技盤１６には、図２に示すように、垂直な板状の装飾枠３１が固定されており、装飾枠３１には表示器枠が固定されている。この表示器枠は前面および後面のそれぞれが開口する横長な四角筒状をなすものであり、装飾枠３１は表示器枠を取り囲む環状をなしている。この表示器枠は遊技盤１６の貫通孔内に挿入されたものであり、装飾枠３１は遊技盤１６の前方に配置されている。
【００１８】
装飾枠３１には、図２に示すように、特別図柄表示器３２が固定されている。この特別図柄表示器３２はＬＥＤ表示器からなるものであり、遊技球が始動口２３内に入賞した場合には大当りおよび外れのいずれであるかが判定され、大当りおよび外れのいずれであるかが判定された場合には特別図柄表示器３２に特別図柄として外れ図柄（×）および大当り図柄（○）のいずれかが表示される。外れ図柄は外れと判定された場合に表示されるものであり、大当り図柄は大当りと判定された場合に表示されるものであり、特別図柄表示器３２に外れ図柄および大当り図柄のいずれが表示されるかの遊技を特別図柄遊技と称する。
【００１９】
特別図柄表示器３２に大当り図柄が表示された場合には大当りラウンドが開始される。この大当りラウンドは特別入賞口２５を開放状態とするものであり、特別入賞口２５内に限度個数（１０個）の遊技球が入賞した場合または特別入賞口２５の開放時間が限度時間（３０×１０００ｍｓｅｃ）に到達した場合には特別入賞口２５が閉鎖状態とされることで終了する。この大当りラウンドは一定回数（５回）だけ繰返されるものであり、一定回数の大当りラウンドの繰返しを大当り遊技と称する。
【００２０】
装飾枠３１の表示器枠には、図２に示すように、遊技盤１６の後方に位置して装飾図柄表示器３３が固定されている。この装飾図柄表示器３３は横長な長方形状の表示領域を有するカラー液晶表示器からなるものであり、表示領域が前方から前枠１０の窓１１と装飾枠３１内と表示器枠内のそれぞれを通して視覚的に認識可能となるように配置されている。この装飾図柄表示器３３は大当り遊技が開始されてから終了するまでの大当り遊技中に大当り遊技演出の映像が表示されるものであり、両スピーカ１３のそれぞれは大当り遊技演出の映像の表示中に効果音を出力することで大当り遊技演出の映像を音で演出し、複数の電飾ＬＥＤ１５のそれぞれは大当り遊技演出の映像の表示中に点滅することで大当り遊技演出の映像を光で演出する。
【００２１】
装飾図柄表示器３３は遊技球が始動口２３内に入賞した場合に装飾図柄遊技の映像が表示されるものであり、両スピーカ１３のそれぞれは装飾図柄遊技の映像の表示中に効果音を出力することで装飾図柄遊技の映像を音で演出し、複数の電飾ＬＥＤ１５のそれぞれは装飾図柄遊技の映像の表示中に点滅することで装飾図柄遊技の映像を光で演出する。図４は装飾図柄遊技の映像であり、装飾図柄遊技の映像は左列の図柄要素と中列の図柄要素と右列の図柄要素のそれぞれの変動表示を開始した後に停止するものである。これら左列と中列と右列の３列のそれぞれの図柄要素の変動表示は図柄要素を（１）（２）（３）（４）（１）・・・の循環的な一定順序で上から下へスクロール表示するものであり（ａ参照）、左列の図柄要素のスクロール表示は（１）〜（４）のいずれか１つで１番目に停止し（ｂ参照）、右列の図柄要素のスクロール表示は（１）〜（４）のいずれか１つで２番目に停止し（ｃ参照）、中列の図柄要素のスクロール表示は（１）〜（４）のいずれか１つで３番目に停止する（ｄ参照）。
【００２２】
３列の図柄要素の全てが変動停止した状態の組合せには大当りの組合せと外れリーチの組合せと完全外れの組合せが設定されている。大当りの組合せは３列の図柄要素が相互に同一な組合せであり、外れリーチの組合せは左列の図柄要素および右列の図柄要素が相互に同一で中列の図柄要素が左列の図柄要素および右列の図柄要素のそれぞれと異なる組合せであり、完全外れの組合せは左列の図柄要素および右列の図柄要素が相互に異なる組合せである。これら３列の図柄要素は特別図柄遊技で大当り図柄が表示される場合に大当りの組合せとなるものであり、特別図柄遊技で外れ図柄が表示される場合には外れリーチの組合せおよび完全外れの組合せのいずれかとなる。
【００２３】
図３のメイン制御回路３４はＣＰＵとＲＯＭとＲＡＭを有するものであり、始動口センサ２４からの始動信号および特別入賞口センサ２６からの特別入賞信号のそれぞれが有るか否かを判断する。このメイン制御回路３４は特別図柄表示器３２を電気的に制御することで特別図柄遊技を行うものであり、特別入賞口ソレノイド２９を電気的に制御することで大当り遊技を行う。
【００２４】
図５はメイン制御回路３４の処理内容であり、メイン制御回路３４はステップＳ１で始動口センサ２４からの始動信号が有るか否かを判断する。ここで始動信号が有ると判断した場合にはステップＳ２で大当りおよび外れのいずれであるかを判定し、ステップＳ３で特別図柄を設定する。この特別図柄は大当りと判定された場合に大当り図柄に設定されるものであり、外れと判定された場合には外れ図柄に設定される。
【００２５】
メイン制御回路３４はステップＳ３で特別図柄を設定すると、ステップＳ４で１つの変動パターンを選択する。この変動パターンは大当りと判定された場合に複数の大当り用の変動パターンのうちから選択され、外れと判定された場合に複数の外れ用の変動パターンのうちから選択されるものであり、メイン制御回路３４はステップＳ４で変動パターンを選択した場合にはステップＳ５で演出制御回路３５（図３参照）に変動パターの選択結果を送信する。この演出制御回路３５は２つのスピーカ１３と複数の電飾ＬＥＤ１５と装飾図柄表示器３３のそれぞれを電気的に制御するものであり、ＣＰＵとＲＯＭとＲＡＭを有している。
【００２６】
メイン制御回路３４はステップＳ５で変動パターの選択結果を送信すると、ステップＳ６で複数の特別図柄遊技時間のうちから変動パターンの選択結果に応じた１つを選択する。そして、ステップＳ７で演出制御回路３５に変動開始コマンドを送信し、ステップＳ８で特別図柄表示器３２に特別図柄の設定結果を表示する。この特別図柄はステップＳ７で変動開始コマンドが送信されたことを基準に特別図柄遊技時間の選択結果が経過した場合に表示されるものであり、メイン制御回路３４はステップＳ８で特別図柄の設定結果を表示した場合にはステップＳ９で演出制御回路３５に変動停止コマンドを送信する。
【００２７】
メイン制御回路３４はステップＳ９で変動停止コマンドを送信すると、ステップＳ１０で特別図柄の設定結果が大当り図柄であるか否かを判断する。ここで特別図柄の設定結果が外れ図柄であると判断した場合にはステップＳ１に復帰し、特別図柄の設定結果が大当り図柄であると判断した場合にはステップＳ１１で大当り遊技を行った後にステップＳ１に復帰する。
【００２８】
演出制御回路３５は大当り用の変動パターンを受信した場合に３列の図柄要素を大当りの組合せに設定するものであり、外れ用の変動パターンを受信した場合には３列の図柄要素を外れリーチの組合せまたは完全外れの組合せに設定する。この演出制御回路３５は変動開始コマンドを受信した場合に３列の図柄要素のそれぞれの変動表示を開始するものであり、３列の図柄要素のそれぞれの変動表示を開始した場合には左列の図柄要素の変動表示を１番目に停止し、右列の図柄要素の変動表示を２番目に停止する。これら左列および右列のそれぞれの図柄要素の変動表示は変動停止コマンドを受信する前に停止されるものであり、演出制御回路３５は変動停止コマンドを受信した場合に中列の図柄要素の変動表示を停止することで３列の図柄要素を組合せの設定結果で表示する。
【００２９】
装飾枠３１には、図２に示すように、演出ユニット４０が装着されている。この演出ユニット４０は装飾図柄表示器３３の前方で機械的な演出を行うことで３列の図柄要素が大当りの組合せとなることに対する遊技者の期待感を煽るものであり、次のように構成されている。
【００３０】
装飾枠３１には、図６に示すように、ユニットベース４１が固定されている。このユニットベース４１は前方から見て装飾図柄表示器３３に比べて上方に位置するものであり、左右方向から見て装飾図柄表示器３３に比べて前方に位置している。このユニットベース４１は前面および下面のそれぞれが開口するものであり、天板と左側板と右側板と後板を有している。このユニットベース４１内には右端部に位置してドライブモータ４２が固定されている。このドライブモータ４２はパルスモータからなるものであり、左右方向へ指向する水平な回転軸を有している。このドライブモータ４２は演出制御回路３５が電気的に制御するものであり、ドライブモータ４２の回転軸には小ギアが固定されている。
【００３１】
ユニットベース４１には、図７に示すように、ドライブシャフト４３が装着されている。このドライブシャフト４３は左右方向へ指向する水平なものであり、軸線に対して直交差する鉛直線に沿う断面が多角形に設定されている。このドライブシャフト４３はユニットベース４１にドライブシャフト４３の軸線回りに回転可能に支持されたものであり、ドライブシャフト４３の右端部には、図６に示すように、大ギア４４が固定されている。この大ギア４４はドライブモータ４２の小ギアに噛合されており、ドライブシャフト４３はドライブモータ４２の回転力が小ギアおよび大ギア４４を通して伝達されることでドライブモータ４２の回転軸に比べて遅い速度で軸線回りに回転する。
【００３２】
ドライブシャフト４３には、図６に示すように、ロータ４５が装着されている。このロータ４５はドライブシャフト４３の軸線回りにドライブシャフト４３に対して回転可能にドライブシャフト４３に支持されたものであり、ドライブシャフト４３はロータ４５内を左右方向に貫通している。このロータ４５は装飾図柄表示器３３に比べて高所に配置されたものであり、図７に示すように、開口部４６を有している。
【００３３】
ロータ４５には、図７に示すように、装飾プレート４７が固定されている。この装飾プレート４７はロータ４５の開口部４６とは１８０°反対側に配置されたものであり、ロータ４５の開口部４６が後向きとなる場合に前向きの垂直な初期姿勢となる。この装飾プレート４７は装飾図柄表示器３３に比べて高所に配置されたものであり、初期姿勢で前方から見て装飾図柄表示器３３の上方に配置される。
【００３４】
装飾プレート４７は、図６に示すように、漢字（天）を形取った有色透明なものであり、初期姿勢で前方から前枠１０のガラス窓１１を通して視認可能となる。この装飾プレート４７は、図８に示すように、初期姿勢から図６の矢印Ａ方向へ９０°回転した場合に上向きの水平な作動姿勢となるものであり、装飾プレート４７の漢字（天）は装飾プレート４７の作動姿勢で前方から視認不能となり、図９に示すように、ロータ４５の開口部４６は装飾プレート４７の作動姿勢で下向きとなる。
【００３５】
ロータ４５には、図７に示すように、ＬＥＤ基板４８が固定されている。このＬＥＤ基板４８は装飾プレート４７の初期姿勢で装飾プレート４７の後方に位置するものであり、ＬＥＤ基板４８には複数のＬＥＤ４９（図３参照）が搭載されている。これら複数のＬＥＤ４９のそれぞれは演出制御回路３５が電気的に制御するものであり、複数のＬＥＤ４９のそれぞれが電気的なオン状態とされた場合には複数のＬＥＤ４９のそれぞれから装飾プレート４７に向けて光が投射されることで装飾プレート４７が電飾される。
【００３６】
ロータ４５には、図７に示すように、上組合せプレート５０が固定されている。この上組合せプレート５０は有色透明なものであり、装飾プレート４７に対して直交するように配置されている。この上組合せプレート５０は、図８に示すように、漢字（天）のうち一画目である横上辺部（一）を装飾プレート４７に比べて大きく形取ったものである。この上組合せプレート５０は、図７に示すように、装飾プレート４７の初期姿勢で下向きの水平状態となるものであり、上組合せプレート５０の横上辺部（一）は装飾プレート４７の初期姿勢で前方から視認不能となる。この装飾プレート４７の作動姿勢では、図８に示すように、上組合せプレート５０が装飾図柄表示器３３の上方で前向きの垂直状態となり、上組合せプレート５０の横上辺部（一）が前方から前枠１０のガラス窓１１を通して視認可能となる。
【００３７】
ロータ４５には、図９に示すように、ＬＥＤ基板５１が固定されている。このＬＥＤ基板５１は装飾プレート４７の作動姿勢で上組合せプレート５０の後方に位置するものであり、ＬＥＤ基板５１には複数のＬＥＤ５２（図３参照）が搭載されている。これら複数のＬＥＤ５２のそれぞれは演出制御回路３５が電気的に制御するものであり、複数のＬＥＤ５２のそれぞれが電気的なオン状態とされた場合には複数のＬＥＤ５２のそれぞれから上組合せプレート５０に向けて光が投射されることで上組合せプレート５０が電飾される。
【００３８】
ユニットベース４１には、図７に示すように、基板カバー５３が固定されている。この基板カバー５３は垂直線に沿う断面が逆Ｌ字状をなすものであり、ユニットベース４１には基板カバー５３の後方に位置して外部中継基板５４が固定されている。この外部中継基板５４は基板カバー５３で前方から視認不能に隠されたものであり、外部中継基板５４の後面にはコネクタ５５が搭載されている。
【００３９】
外部中継基板５４のコネクタ５５はハーネスを介して電源回路に接続されたものであり、外部中継基板５４にはハーネスおよびコネクタ５５を通して電源が与えられる。この外部中継基板５４はハーネスを介して装飾プレート４７用のＬＥＤ基板４８に電気的に接続されており、ＬＥＤ基板４８の複数のＬＥＤ４９のそれぞれには電源回路から外部中継基板５４を通して駆動電源が与えられる。この装飾プレート４７用のＬＥＤ基板４８はハーネスを介して上組合せプレート５０用のＬＥＤ基板５１に電気的に接続されており、ＬＥＤ基板５１の複数のＬＥＤ５２のそれぞれには電源回路から外部中継基板５４およびＬＥＤ基板４８を順に通して駆動電源が与えられる。
【００４０】
ロータ４５内には、図１０および図１１に示すように、固定レール５６が収納されている。この固定レール５６は装飾プレート４７の初期姿勢でのロータ４５の天板に固定されたものであり、ドライブシャフト４３の軸線に沿う断面がコ字状に設定されている。この固定レール５６は装飾プレート４７の初期姿勢で前後方向へ直線的に指向するものであり、固定レール５６にはスライドレール５７が脱落不能に装着されている。このスライドレール５７は装飾プレート４７の初期姿勢で前後方向へ直線的に指向するものであり、ドライブシャフト４３の軸線に沿う断面がコ字状に設定されている。このスライドレール５７は固定レール５６で移動が案内されるものであり、固定レール５６に沿って初期位置および限度位置相互間で直線的に移動可能にされている。図１０は装飾プレート４７の初期姿勢でスライドレール５７を初期位置で示すものであり、スライドレール５７の限度位置は装飾プレート４７の初期姿勢で初期位置に比べて後方に設定されている。
【００４１】
スライドレール５７には、図１０に示すように、プレートホルダ５８が固定されており、プレートホルダ５８には下組合せプレート５９が固定されている。これらプレートホルダ５８および下組合せプレート５９のそれぞれは、図７に示すように、装飾プレート４７の初期姿勢で水平状態となるものであり、装飾プレート４７の初期姿勢ではスライドレール５７が初期位置となることで一部がロータ４５の開口部４６を通して後方へ突出すると共に一部を除く残余部がロータ４５内に収納される。この下組合せプレート５９は、図８に示すように、漢字（天）のうちの２画目である横下辺部（一）を装飾プレート４７に比べて大きく形取ったものであり、下組合せプレート５９の横下辺部（一）は装飾プレート４７の初期姿勢で前方から視認不能となる。
【００４２】
プレートホルダ５８には、図７に示すように、ＬＥＤ基板６０が固定されている。このＬＥＤ基板６０は装飾プレート４７の初期姿勢で下組合せレンズ５９の上方に配置されるものであり、ＬＥＤ基板６０には複数のＬＥＤ６１（図３参照）が搭載されている。これら複数のＬＥＤ６１のそれぞれは演出制御回路３５が電気的に制御するものであり、複数のＬＥＤ６１のそれぞれが電気的なオン状態とされた場合には複数のＬＥＤ６１のそれぞれから下組合せレンズ５９に向けて光が投射されることで下組合せレンズ５９が電飾される。
【００４３】
ドライブシャフト４３の外周面には、図１０および図１１に示すように、２つのリール６２が左右方向に相互に離間して固定されている。これら２つのリール６２のそれぞれは多角形状の貫通孔を有するものであり、貫通孔内にドライブシャフト４３が挿入されることでドライブシャフト４３に対して回転不能にされている。これら２つのリール６２のそれぞれはロータ４５内に収納されたものであり、図７に示すように、巻取り面６３を有している。これら２つのリール６２のそれぞれの巻取り面６３はドライブシャフト４３の軸線を中心とする半円形状をなすものであり、２つのリール６２のそれぞれはドライブシャフト４３の回転位置（０°）で巻取り面６３が下向きとなる初期姿勢となる。図７はドライブシャフト４３を回転位置（０°）で示すものである。
【００４４】
２つのリール６２のそれぞれには、図７に示すように、可撓性を有する紐状のフィルム６４の一端部が固定されている。これら２本のフィルム６４のそれぞれは無色透明な合成樹脂製のものであり、２本のフィルム６４のそれぞれの他端部はプレートホルダ５８に固定されている。これら２本のフィルム６４のそれぞれはロータ４５内に収納されたものであり、テンションローラ６５およびテンションローラ６６のそれぞれに掛渡されている。これら２組のテンションローラ６５およびテンションローラ６６のそれぞれはドライブシャフト４３の軸線に対して平行な軸６７を中心に回転可能にロータ４５に装着されたものであり、ロータ４５およびリール６２のそれぞれの初期姿勢でフィルム６４に張力を付与することでフィルム６４をリール６２の巻取り面６３に密着させる。
【００４５】
ロータ４５内には、図７に示すように、巻枠６８が収納されている。この巻枠６８はドライブシャフト４３の外周面に回転不能に固定されたものであり、２つのリール６２相互間に配置されている。この巻枠６８は巻取り面６９を有している。この巻取り面６９はドライブシャフト４３の軸線を中心とする半円形状をなすものであり、巻枠６８はドライブシャフト４３の回転位置（０°）で巻取り面６９が下向きとなる初期姿勢となる。この巻枠６８には、図１２に示すように、内部中継基板７０が固定されている。この内部中継基板７０は上組合せプレート５０用のＬＥＤ基板５１にハーネスを介して電気的に接続されたものであり、内部中継基板７０には電源回路から外部中継基板５４とＬＥＤ基板４８とＬＥＤ基板５１のそれぞれを順に通して電源が与えられる。
【００４６】
内部中継基板７０には、図７に示すように、フレキシブルハーネス７１の一端部が電気的および機械的に接続されており、フレキシブルハーネス７１の他端部は下組合せプレート５９用のＬＥＤ基板６０に電気的および機械的に接続されている。このフレキシブルハーネス７１はロータ４５内に収納されたものであり、ＬＥＤ基板６０の複数のＬＥＤ６１のそれぞれには内部中継基板７０からフレキシブルハーネス７１を通して駆動電源が与えられる。
【００４７】
ロータ４５内には、図７に示すように、テンションローラ７２およびテンションローラ７３が収納されている。これらテンションローラ７２およびテンションローラ７３のそれぞれはドライブシャフト４３の軸線に対して平行な軸７４を中心に回転可能にロータ４５に装着されたものであり、テンションローラ７２およびテンションローラ７３のそれぞれにはフレキシブルハーネス７１が掛渡されている。このフレキシブルハーネス７１は装飾プレート４７および巻枠６８のそれぞれの初期姿勢でテンションローラ７２およびテンションローラ７３から張力が付与されるものであり、テンションローラ７２およびテンションローラ７３から張力が付与されることで巻枠６８の巻取り面６９に密着する。
【００４８】
２つのリール６２および巻枠６８のそれぞれは、図７に示すように、プッシャ７５を有している。２つのリール６２のそれぞれのプッシャ７５はリール６２の端面から円周方向へ突出するものであり、巻枠６８のプッシャ７５は巻枠６８の端面から円周方向へ突出するものであり、３つのプッシャ７５のそれぞれはドライブシャフト４３が回転することでドライブシャフト４３の軸線回りに下組合せプレート５９の移動方向に対して交差する円周方向へ移動する。これら３つのプッシャ７５のそれぞれはドライブシャフト４３の回転位置（０°）で下組合せプレート５９に対して下方へ離間するものであり（実線参照）、ドライブシャフト４３の回転位置（θ１°）で下組合せプレート５９に下方から接触する（二点鎖線参照）。
【００４９】
ドライブシャフト４３の回転操作は機械的な回転位置（０°）を基準に図７の矢印Ａ方向である正方向へ開始され、回転位置（０°）から回転位置（θ１°）および回転位置（θ１°＋９０°）のそれぞれを超えて行われるものである。このドライブシャフト４３の正方向への回転操作は回転位置（θ２°＞θ１°＋９０°）に到達することで停止されるものであり、装飾プレート４７と下組合せプレート５９と２つのリール６２と巻枠６８のそれぞれはドライブシャフト４３が正方向へ回転操作されている状態ではドライブシャフト４３の機械的な回転位置θ°に応じて次の挙動を呈する。
［１］ドライブシャフト４３の回転位置（０°＜θ°＜θ１°）
装飾プレート４７が初期姿勢に静止した状態で２つのリール６２および巻枠６８のそれぞれが正方向へ回転する。これら２つのリール６２および巻枠６８のそれぞれは下組合せプレート５９が装飾プレート４７に対して初期位置に静止した下組合せプレート５９の水平状態で正方向へ回転するものであり、２本のフィルム６４のそれぞれはリール６２が正方向へ回転することでリール６２の巻取り面６３から巻戻されて弛緩状態となり、フレキシブルハーネス７１は巻枠６８が正方向へ回転することで巻枠６８の巻取り面６９から巻戻されて弛緩状態となり、下組合せプレート５９は２本のフィルム６４およびフレキシブルハーネス７１のそれぞれが弛緩状態となることで装飾プレート４７に対して初期位置から移動することが許容される。
［２］ドライブシャフト４３の回転位置（θ１°≦θ°＜θ１＋９０°）
３つのプッシャ７５のそれぞれが下組合せプレート５９に接触することで３つのプッシャ７５のそれぞれから下組合せプレート５９に押圧力が作用する。この押圧力の方向はスライドレール５７の固定レール５６に対する移動方向に対して交差する円周方向に設定されており、３つのプッシャ７５のそれぞれから下組合せプレート５９に押圧力が作用した場合にはスライドレール５７が固定レール５６に押付けられる。
【００５０】
スライドレール５７が固定レール５６に押付けられた場合には固定レール５６およびスライドレール５７相互互間の抵抗力でスライドレール５７の固定レール５６に対する移動が拘束され、スライドレール５７の固定レール５６に対する移動が拘束されることでドライブシャフト４３から下組合せプレート５９とスライドレール５７と固定レール５６を通して装飾プレート４７に正方向への回転力が作用し、装飾プレート４７に正方向への回転力が作用することで装飾プレート４７が正方向へ下組合せプレート５９と共に回転し、装飾プレート４７が正方向へ回転することで下組合せプレート５９の姿勢が水平状態から鉛直状態に向けて変化する。
【００５１】
即ち、３つのプッシャ７５のそれぞれはドライブシャフト４３が回転位置（０°）から正方向へ一定の角度（θ１°）だけ離れた回転位置に到達した場合に下組合せプレート５９を円周方向へ押すものであり、下組合せプレート５９を円周方向へ押すことで下組合せプレート５９の装飾プレート４７に対する直線的な移動を規制すると共に下組合せプレート５９を通して装飾プレート４７に円周方向の力を加えることで装飾プレート４７を初期姿勢から正方向へ回転操作する。
［３］ドライブシャフト４３の回転位置（θ＝θ１＋９０°）
装飾プレート４７はドライブシャフト４３の回転位置（θ１°＋９０°）で水平な作動姿勢となるものであり、装飾プレート４７が作動姿勢となった場合には下組合せプレート５９が前向きの鉛直状態となる。この下組合せプレート５９の鉛直状態では２本のフィルム６４のそれぞれがリール６２の巻取り面６３から巻戻されることで弛緩状態とされており、フレキシブルハーネス７１が巻枠６８の巻取り面６９から巻戻されることで弛緩状態とされている。この下組合せプレート５９の鉛直状態ではスライドレール５７がプレートホルダ５８と下組合せプレート５９とＬＥＤ基板６０等の合計の荷重で固定レール５６に対する摩擦力に抗してスライドを開始し、スライドレール５７がスライドを開始した場合には下組合せプレート５９がロータ４５の開口部４６を通して上から下へ前向きの鉛直状態で落下を開始する。
【００５２】
２本のフィルム６４およびフレキシブルハーネス７１のそれぞれの弛みは下組合せプレート５９の落下が進行することに応じて小さくなるものであり、下組合せプレート５９の落下は２本のフィルム６４およびフレキシブルハーネス７１のそれぞれが下組合せプレート５９等の荷重で緊張状態となることで停止する。３つのプッシャ７５のそれぞれは下組合せプレート５９が落下を開始した場合に下組合せプレート５９から離間するものであり、３つのプッシャ７５のそれぞれが下組合せプレート５９から離間した場合にはドライブシャフト４３から装飾プレート４７への回転力の伝達経路が遮断され、装飾プレート４７は回転力の伝達経路が遮断されることで垂直な作動姿勢で回転停止する。
［４］ドライブシャフト４３の回転位置（θ１°＋９０°＜θ＜θ２°）
装飾プレート４７が作動姿勢に静止した状態で２つのリール６２および巻枠６８のそれぞれが正方向へ回転する。２本のフィルム６４のそれぞれはリール６２が装飾プレート４７の静止状態で正方向へ回転することでリール６２の巻取り面６３から巻戻されて弛み、フレキシブルハーネス７１は巻枠６８がロータ４５の静止状態で正方向へ回転することで巻枠６８の巻取り面６９から巻戻されて弛み、２本のフィルム６４およびフレキシブルハーネス７１のそれぞれが弛むことに応じて下組合せプレート５９の鉛直状態での落下が進行する。
［５］ドライブシャフト４３の回転位置（θ＝θ２°）
ドライブシャフト４３の回転操作が停止されることで２本のフィルム６４およびフレキシブルハーネス７１のそれぞれが緊張状態となる。図９はドライブシャフト４３を回転位置（θ２°）で示すものであり、ドライブシャフト４３の回転位置（θ２°）では２本のフィルム６４およびフレキシブルハーネス７１のそれぞれが緊張状態となることで下組合せプレート５９が鉛直状態で落下停止し、下組合せプレート５９が鉛直状態で落下停止することで装飾プレート４７に対して初期位置から最大限に移動した限度位置に静止する。
【００５３】
下組合せプレート５９は鉛直状態で落下停止することでロータ４５の開口部４６を通して下方へ突出するものであり、前方から見て装飾図柄表示器３３の前方に重なる。この下組合せプレート５９の落下停止状態では上組合せプレート５０が前向きの鉛直状態に静止しており、下組合せプレート５９が左右方向から見て上組合せプレート５０に比べて後方に配置される。この下組合せプレート５９は落下停止状態で前方から見て上組合せプレートの下方に配置されるものであり、図８に示すように、前方から見て上組合せプレート５０および下組合せプレート５９の組合せから漢字（天）のうち（人）を除いた一部が構成される。
【００５４】
ロータ４５内には、図１０および図１１に示すように、ドラム７６が収納されている。このドラム７６は装飾プレート４７の初期姿勢でのロータ４５の天板に下組合せプレート５９の移動方向に対して直交する軸を中心に回転可能に装着されたものであり、ドラム７６にはコンスタントバネ７７の一端部が固定されている。このコンスタントバネ７７は自然状態でコイル状をなすものであり、ドラム７６の外周面に巻回されている。このコンスタントバネ７７の他端部はプレートホルダ５８に固定されており、コンスタントバネ７７は下組合せプレート５９の落下が進行することに応じてドラム７６の外周面から巻戻される。このコンスタントバネ７７の巻戻し部分は下組合せプレート５９等の荷重で直状となるものであり、下組合せプレート５９はコンスタントバネ７７の巻戻し部分が直状からコイル状に戻る弾性復元力で下から上へ付勢される。
【００５５】
ドライブシャフト４３には、図１０に示すように、ロータ４５の外部に位置してリターンプレート７８が固定されている。このリターンプレート７８はロータ４５の右側板に右方から対向するものであり、左右方向から見てドライブシャフト４３の軸線を中心とする扇形状をなしている。このリターンプレート７８はドライブシャフト４３に対して回転不能にされたものであり、ドライブシャフト４３が回転することに応じてドライブシャフト４３の軸線を中心に円周方向へ移動する。
【００５６】
ロータ４５には、図１３に示すように、キャッチ片７９が固定されている。このキャッチ片７９はロータ４５の右側板から右方へ突出するものであり、図１４に示すように、装飾プレート４７の初期姿勢でドライブシャフト４３が回転位置（０°）に静止した状態でリターンプレート７８の一方の端面が反矢印Ａ方向から接触する（ａ参照）。このリターンプレート７８の一方の端面はドライブシャフト４３が回転位置（０°）から矢印Ａ方向へ回転操作されることに応じてキャッチ片７９から円周方向へ遠ざかるものであり、ドライブシャフト４３の回転位置（θ２°）ではリターンプレート７８の他方の端面がキャッチ片７９に矢印Ａ方向から接触する（ｂ参照）。
【００５７】
ドライブシャフト４３の回転操作は回転位置（θ２°）を基準に矢印Ｂ方向である逆方向へ再開される。このドライブシャフト４３の逆方向への回転操作は回転位置（０°）に到達することで停止されるものであり、装飾プレート４７と下組合せプレート５９と２つのリール６２と巻枠６８のそれぞれはドライブシャフト４３が逆方向へ回転操作されている状態ではドライブシャフト４３の回転位置θ°に応じて次の挙動を呈する。
［６］ドライブシャフト４３の回転位置（θ２°＞θ°＞θ２°−９０°）
装飾プレート４７が作動姿勢に静止した状態でドライブシャフト４３が逆方向へ回転する。この装飾プレート４７の静止状態でドライブシャフト４３が逆方向へ回転する場合には２本のフィルム６４のそれぞれがリール６２の巻取り面６３に巻取られ、フレキシブルハーネス７１が巻枠６８の巻取り面６９に巻取られ、２本のフィルム６４およびフレキシブルハーネス７１のそれぞれが巻取られることに応じて下組合せプレート５９が鉛直状態のまま持上げられる。この下組合せプレート５９は装飾プレート４７が作動姿勢に静止した状態でロータ４５の開口部４６を通して持上げられるものであり、スライドレール５７が固定レール５６に沿って移動することで下から上へ真直ぐに持上げられる。この下組合せプレート５９が持上げられる場合にはコンスタントバネ７７が下組合せプレート５９を一定の大きさの力で下から上へ付勢し、下組合せプレート５９が持上げられることに応じてコンスタントバネ７７がドラム７６の外周面に巻取られる。
［７］ドライブシャフト４３の回転位置（θ°＝９０°）
ドライブシャフト４３のリターンプレート７８は、図１４に示すように、ドライブシャフト４３が回転位置（θ２°）から逆方向へ回転操作される場合にドライブシャフト４３の回転位置（９０°）でロータ４５のキャッチ片７９に矢印Ｂ方向から接触するものである（ｃ参照）。このリターンプレート７８がキャッチ片７９に矢印Ｂ方向から接触したときにはスライドレール５７が固定レール５６に対する初期位置に復帰することで下組合せプレート５９が装飾プレート４７に対して初期位置に復帰し、２本のリール６２および巻枠６８のそれぞれが装飾プレート４７に対して初期姿勢に復帰しており、２本のフィルム６４のそれぞれがリール６２の巻取り面６３に完全に巻取られ、フレキシブルハーネス７１が巻枠６８の巻取り面６９に完全に巻取られている。
［８］ドライブシャフト４３の回転位置（９０°＞θ°≧０°）
ドライブシャフト４３のリターンプレート７８がロータ４５のキャッチ片７９を矢印Ｂ方向へ押すことで装飾プレート４７が作動姿勢から逆方向へ回転する。この装飾プレート４７は下組合せプレート５９が装飾プレート４７に対して初期値に復帰し且つ２本のリール６２および巻枠６８のそれぞれが装飾プレート４７に対して初期姿勢に復帰し且つ２本のフィルム６４およびフレキシブルハーネス７１のそれぞれが完全に巻取られた状態で逆転するものであり、装飾プレート４７はドライブシャフト４３が回転位置（０°）に復帰することで初期姿勢に復帰し、下組合せプレート５９は装飾プレート４７が初期姿勢に復帰することで水平状態に戻る。演出ユニット４０は以上のように構成されている。
【００５８】
装飾枠３１には、図１５に示すように、左連結プレート８０が装着されている。この左連結プレート８０は前後方向へ指向する軸８１を中心に回転可能にされたものであり、左連結プレート８０には左組合せプレート８２が固定されている。この左組合せプレート８２は漢字（天）のうち３画目の一部を形取ったものであり、左連結プレート８０が軸８１を中心に回転することで初期姿勢および作動姿勢相互間で移動する。
【００５９】
左組合せプレート８２は左右方向から見て装飾図柄表示器３３に比べて前方に位置するものであり、初期姿勢では装飾枠３１の後方に隠れることで前方から視認不能となる。この左組合せプレート８２は作動姿勢で装飾図柄表示器３３の前方に重ねられるものであり、鉛直状態で限度位置の下組合せプレート５９に下方から接触する。この左組合せプレート８２の軸８１はパルスモータからなる左モータ８３（図３参照）の回転軸に連結されている。この左モータ８３は演出制御回路３５が電気的に制御するものであり、演出制御回路３５は左モータ８３を電気的に制御することで左組合せプレート８２を初期姿勢および作動姿勢相互間で移動操作する。
【００６０】
装飾枠３１には、図１５に示すように、右組合せプレート８４が装着されている。この右組合せプレート８４は漢字（天）のうちの４画目を形取ったものであり、前後方向へ指向する軸８５を中心に初期姿勢および作動姿勢相互間で回転可能にされている。この右組合せプレート８４は左右方向から見て装飾図柄表示器３３に比べて前方に位置するものであり、初期姿勢では装飾枠３１の後方に隠れることで前方から視認不能となる。この右組合せプレート８４は作動姿勢で装飾図柄表示器３３の前方に重ねられるものであり、鉛直状態で限度位置の下組合せプレート５９に下方から接触する。この右組合せプレート８４の軸８５はパルスモータからなる右モータ８６（図３参照）の回転軸に連結されている。この右モータ８６は演出制御回路３５が電気的に制御するものであり、演出制御回路３５は右モータ８６を電気的に制御することで右組合せプレート８４を初期姿勢および作動姿勢相互間で移動操作する。
【００６１】
演出制御回路３５はメイン制御回路３４からの変動パターンを受信すると、予告演出１および予告演出２のいずれかを行うか否かを判断するものである。予告演出１は大当り用の変動パターンを受信した場合に確率Ｘ１で行うと判定されるものであり、外れ用の変動パターンを受信した場合には確率Ｘ２（＜Ｘ１）で行うと判定される。予告演出２は大当り用の変動パターンを受信した場合に確率Ｘ３（＞Ｘ１）で行うと判定されるものであり、外れ用の変動パターンを受信した場合には確率Ｘ４（＜Ｘ２）で行うと判定される。
【００６２】
図１６の予告演出処理は演出制御回路３５が予告演出１および予告演出２のいずれかを行うと判定した場合に開始するものである。この予告演出処理は装飾図柄遊技の映像で３列の図柄要素のそれぞれの変動表示を開始した直後のタイミングで開始されるものであり、右列の図柄要素を変動状態から変動停止状態とする直前のタイミングで終了する。
【００６３】
図１６の予告演出処理が開始される前には左組合せプレート８２および右組合せプレート８４のそれぞれが装飾枠３１の後方に隠れた初期姿勢とされることで視認不能にされている。この図１６の予告演出処理が開始される前にはドライブシャフト４３が回転位置（０°）に静止し、上組合せプレート５０が下向きの水平状態となることで視認不能にされ、下組合せプレート５９がロータ４５内に下向きの水平状態で収納されることで視認不能にされ、装飾プレート４７が初期姿勢とされることで装飾プレート４７の漢字（天）が視認可能にされており、演出制御回路３５は複数のＬＥＤ４９のそれぞれを点滅操作することで装飾プレート４７を電飾している。
【００６４】
演出制御回路３５は図１６の予告演出処理を開始すると、ステップＳ１でドライブモータ４２の正方向への回転操作を開始する。このドライブモータ４２は正転用の駆動パルスが与えられることで正方向へ回転操作されるものであり、演出制御回路３５はステップＳ１でドライブモータ４２の正方向への回転操作を開始した場合にはステップＳ２でドライブモータ４２に限度数Ｎの正転用の駆動パルスを与えたか否かを判断する。この限度数Ｎはドライブシャフト４３が回転位置（θ２°）に到達する値に設定されたものであり、ドライブシャフト４３は回転位置（０°）から回転位置（θ２°）に到達するまで正方向へ連続的に回転操作される。
【００６５】
演出制御回路３５はステップＳ２でドライブモータ４２に限度数Ｎの正転用の駆動パルスを与えたと判断すると、ステップＳ３でドライブモータ４２の回転操作を停止する。このドライブモータ４２の回転操作が停止された場合にはドライブシャフト４３が回転位置（θ２°）で回転停止し、装飾プレート４７が作動姿勢で静止する。この状態では装飾プレート４７が視認不能にされ、上組合せプレート５０が前向きの垂直状態となることで視認可能にされ、下組合せプレート５９が鉛直状態で限度位置となることで視認可能にされており、前方から見て漢字（天）のうちの上半部が構成される。
【００６６】
演出制御回路３５はステップＳ３でドライブモータ４２の回転操作を停止すると、ステップＳ４で複数のＬＥＤ５２のそれぞれを点滅操作することで上組合せプレート５０を電飾する。そして、ステップＳ５で複数のＬＥＤ６１のそれぞれを点滅操作することで下組合せプレート５９を電飾し、ステップＳ６で予告演出１を行うと判定しているか否かを判断する。ここで予告演出１を行うと判定していると判断した場合にはステップＳ７の予告演出処理１へ移行し、予告演出２を行うと判定していると判断した場合にはステップＳ８の予告演出処理２へ移行する。
【００６７】
図１７はステップＳ７の予告演出処理１であり、演出制御回路３５はステップＳ１１でドライブモータ４２の逆方向への回転操作を開始する。このドライブモータ４２は逆転用の駆動パルスが与えられることで逆方向へ回転操作されるものであり、演出制御回路３５はステップＳ１１でドライブモータ４２の逆方向への回転操作を開始した場合にはステップＳ１２でドライブモータ４２に限度数Ｎの逆転用の駆動パルスを与えたか否かを判断する。
【００６８】
演出制御回路３５はステップＳ１２でドライブモータ４２に限度数Ｎの逆転用の駆動パルスを与えたと判断すると、ステップＳ１３でドライブモータ４２の回転操作を停止する。このドライブモータ４２の回転操作が停止された場合にはドライブシャフト４３が回転位置（０°）で静止し、装飾プレート４７が初期姿勢で静止する。即ち、予告演出処理１は左組合せプレート８２および右組合せプレート８４のそれぞれを初期姿勢から作動姿勢に移動操作することなくドライブシャフト４３を回転位置（θ２°）から回転位置（０°）に戻すものであり、遊技者の目線で大きな漢字（天）を完成させないことで３列の図柄要素が大当りの組合せとなることに対する信頼度が低いと報知するものである。
【００６９】
図１８はステップＳ８の予告演出処理２であり、演出制御回路３５はステップＳ２１で左モータ８３の正方向への回転操作を開始し、ステップＳ２２で右モータ８６の正方向への回転操作を開始する。これら左モータ８３および右モータ８６のそれぞれは正転用の駆動パルスが与えられることで正方向へ回転操作されるものであり、演出制御回路３５はステップＳ２２で右モータ８６の正方向への回転操作を開始した場合にはステップＳ２３で左モータ８３に限度数Ｎｌの正転用の駆動パルスを与えたか否かを判断する。この限度数Ｎｌは左組合せプレート８２が初期姿勢から作動姿勢となる値に設定されたものであり、演出制御回路３５はステップＳ２３で左モータ８３に限度数Ｎｌの正転用の駆動パルスを与えたと判断した場合にはステップＳ２４で左モータ８３の回転操作を停止することで左組合せプレート８２を作動姿勢に静止させる。
【００７０】
演出制御回路３５はステップＳ２４で左モータ８３の回転操作を停止すると、ステップＳ２５で右モータ８６に限度数Ｎｒの正転用の駆動パルスを与えたか否かを判断する。この限度数Ｎｒは右組合せプレート８６が初期姿勢から作動姿勢となる値に設定されたものであり、演出制御回路３５はステップＳ２５で右モータ８６に限度数Ｎｒの正転用の駆動パルスを与えたと判断した場合にはステップＳ２６で右モータ８６の回転操作を停止することで右組合せプレート８４を作動姿勢に静止させる。この右組合せプレート８４が作動姿勢に静止した場合には、図１５に示すように、前方から見て装飾プレート４７の漢字（天）に比べて大きな漢字（天）が完成する。
【００７１】
演出制御回路３５はステップＳ２６で右モータ８６の回転操作を停止すると、ステップＳ２７でドライブモータ４２の逆方向への回転操作を開始し、ステップＳ２８で左モータ８３の逆方向への回転操作を開始し、ステップＳ２９で右モータ８６の逆方向への回転操作を開始する。これらドライブモータ４２と左モータ８３と右モータ８６のそれぞれは逆転用の駆動パルスが与えられることで逆方向へ回転操作されるものであり、演出制御回路３５はステップＳ２９で右モータ８６の逆方向への回転操作を開始した場合にはステップＳ３０で左モータ８３に限度数Ｎｌの逆転用の駆動パルスを与えたか否かを判断する。
【００７２】
演出制御回路３５はステップＳ３０で左モータ８３に限度数Ｎｌの逆転用の駆動パルスを与えたと判断すると、ステップＳ３１で左モータ８３の回転操作を停止することで左組合せプレート８２を初期姿勢に静止させ、ステップＳ３２で右モータ８６に限度数Ｎｒの逆転用の駆動パルスを与えたか否かを判断する。ここで右モータ８６に限度数Ｎｒの逆転用の駆動パルスを与えたと判断した場合にはステップＳ３３で右モータ８６の回転操作を停止することで右組合せプレート８４を初期姿勢に静止させ、ステップＳ３４でドライブモータ４２に限度数Ｎの逆転用の駆動パルスを与えたか否かを判断する。
【００７３】
演出制御回路３５はステップＳ３４でドライブモータ４２に限度数Ｎの逆転用の駆動パルスを与えたと判断すると、ステップＳ３５でドライブモータ４２の回転操作を停止する。このドライブモータ４２の回転操作が停止された場合にはドライブシャフト４３が回転位置（０°）で静止し、装飾プレート４７が初期姿勢で静止する。即ち、予告演出処理２は左組合せプレート８２および右組合せプレート８４のそれぞれを初期姿勢から作動姿勢に移動操作した後にドライブシャフト４３を回転位置（θ２°）から回転位置（０°）に戻すものである。この予告演出処理２は遊技者の目線で大きな漢字（天）を完成させるものであり、３列の図柄要素が大当りの組合せとなることに対する信頼度が高いと報知するものである。
【００７４】
上記実施例１によれば次の効果を奏する。
ドライブシャフト４３が回転操作された場合にはプッシャ７５が下組合せプレート５９を下組合せプレート５９の装飾プレート４７に対する移動方向と異なる方向へ押圧することで下組合せプレート５９の装飾プレート４７に対する移動を規制する。このドライブシャフト４３はドライブモータ４２が回転操作するものであり、装飾プレート４７はプッシャ７５が下組合せプレート５９の装飾プレート４７に対する移動を規制することでドライブシャフト４３の動力がプッシャ７５および下組合せプレート５９を介して伝達されて初期姿勢から下組合せプレート５９と共に回転し、下組合せプレート５９は装飾プレート４７が初期姿勢から所定量（９０°）だけ回転した場合に下組合せプレート５９の装飾プレート４７に対する移動方向が重力方向に近付くことで重力の作用で降下して装飾プレート４７に対して移動する。従って、装飾プレート４７の回転運動および下組合せプレート５９の直線運動の２つの動きが１つの駆動源で実現される。
【００７５】
ドライブシャフト４３は正方向へ回転操作された後に逆方向へ回転操作されるものであり、リール６２はドライブシャフト４３が正方向へ回転操作される場合にフィルム６４を繰出すことで下組合せプレート５９が降下することを許容し、ドライブシャフト４３が逆方向へ回転操作される場合にフィルム６４を巻取ることで下組合せプレート５９を装飾プレート４７に対して巻上げる。このドライブシャフト４３はドライブモータ４２が正方向および逆方向へ回転操作するものであり、下組合せプレート５９を降下した状態から降下する前の状態に戻す動きも１つの駆動源で実現される。しかも、下組合せプレート５９が装飾プレート４７に対して巻上げられた場合にはキャッチ片７９がリターンプレート７８で押され、キャッチ片７９がリターンプレート７８で押された場合には装飾プレート４７が下組合せプレート５９と共にドライブシャフト４３の動力で逆方向へ回転することで初期姿勢に復帰する。従って、装飾プレート４７および下組合せプレート５９のそれぞれを元の状態に戻す動きも１つの駆動源で実現される。
【００７６】
上記実施例１においては、下組合せプレート５９が鉛直状態となる前にスライドレール５７が固定レール５６に対する摩擦力に抗してスライド開始するようにしても良い。即ち、ドライブシャフト４３が回転位置（θ１°）に到達した後から回転位置（θ１°＋９０°）に到達する前までの間に下組合せプレート５９が装飾プレート４７に対して重力の作用で降下を開始するようにしても良い。
【００７７】
上記実施例１においては、スライドレール５７を固定レール５６に初期位置および限度位置相互間でスライド可能に装着し、２枚のフィルム６４およびフレキシブルハーネス７１のそれぞれの弛緩状態でスライドレール５７が固定レール５６に対して限度位置に到達することで下組合せプレート５９のロータ４５に対する移動を停止しても良い。
【００７８】
上記実施例１においては、ドライブシャフト４３を回転位置（０°）から反矢印Ａ方向へ回転操作することで装飾プレート４７を初期姿勢から垂直な作動姿勢とし、装飾プレート４７を作動姿勢とすることで下組合せプレート５９を装飾プレート４７の前方で上から下へ落下させても良い。
【００７９】
上記実施例１においては、装飾プレート４７を巻物の芯を模した円筒状としても良い。この場合には下組合せプレート５９として巻物に巻取られた紙を模したものを用い、巻物が前から後または後から前へ回転することで巻物から紙が上から下へ巻戻される様子を演出しても良い。
【００８０】
上記実施例１においては、リール６２および巻枠６８のそれぞれからプッシャ７５を廃止し、ドライブシャフト４３にプッシャ７５を別途に固定しても良い。即ち、リール６２と巻枠６８とプッシャ７５のそれぞれとして専用部材を用いても良い。
【００８１】
上記実施例１においては、遊技モードを第１の遊技モードおよび第２の遊技モード相互間で切換えても良い。これら第１の遊技モードおよび第２の遊技モードのそれぞれは装飾図柄遊技の映像を相互に異なる背景映像の前方に重ねて表示するものであり、予告演出１を行うことで遊技モードが第１の遊技モードから第２の遊技モードまたは第２の遊技モードから第１の遊技モードに切換えられることに対する期待感が低いことを遊技者に報知し、予告演出２を行うことで遊技モードが第１の遊技モードから第２の遊技モードまたは第２の遊技モードから第１の遊技モードに切換えられることに対する期待感が高いことを遊技者に報知しても良い。
【符号の説明】
【００８２】
１６は遊技盤、４０は演出ユニット（演出装置）、４２はドライブモータ（駆動源）、４３はドライブシャフト（回転軸）、４５はロータ、４７は装飾プレート、５０は上組合せプレート、５９は下組合せプレート（第２の装飾部材）、６２はリール（巻取り部材）、６４はフィルム（接続部材）、７５はプッシャ（押圧部材）である。
【図１】
2014045953.tif 000003
【図２】
2014045953.tif 000004
【図３】
2014045953.tif 000005
【図４】
2014045953.tif 000006
【図５】
2014045953.tif 000007
【図６】
2014045953.tif 000008
【図７】
2014045953.tif 000009
【図８】
2014045953.tif 000010
【図９】
2014045953.tif 000011
【図１０】
2014045953.tif 000012
【図１１】
2014045953.tif 000013
【図１２】
2014045953.tif 000014
【図１３】
2014045953.tif 000015
【図１４】
2014045953.tif 000016
【図１５】
2014045953.tif 000017
【図１６】
2014045953.tif 000018
【図１７】
2014045953.tif 000019
【図１８】
2014045953.tif 000020